(57)【要約】  【課題】  本考案は、浚渫土砂を常に迅速、かつ、確実に、しかも容易に少ないスペ−スでもって固液分離せしめることが出来るものであって、ひいては、分離せしめた固液の後処理を容易に効率よく行なうことが出来る、浚渫土砂の脱水処理装置を提供するものである。  【解決手段】  少くとも一側に排出ゲ−ト２が開閉自在に設けられた圧縮槽１と、該圧縮槽１内に嵌合せしめて上方から所要の押圧手段１２でもって浚渫土砂Ｓを圧縮せしめつつ脱水せしめる略格子枠状の押圧体４と、該押圧体４の下面に取付けられた透水体６とよりなり、上記透水体６は支持部材７上に透水シ−ト８とスクリ−ン９とが順次積層された構成なる。  【選択図】      図１
0003105216.tif 000002
【実用新案登録請求の範囲】
【請求項１】
少くとも一側に排出ゲ−トが開閉自在に設けられた圧縮槽と、該圧縮槽内に嵌合せしめて上方から所要の押圧手段でもって浚渫土砂を圧縮せしめつつ脱水せしめる略格子枠状の押圧体と、該押圧体の下面に取付けられた透水体とより構成されてなることを特徴とする
、浚渫土砂の脱水処理装置。
【請求項２】
上記透水体は、支持部材上に透水シ−トとスクリ−ンとが順次積層された構成よりなることを特徴とする、請求項１記載の浚渫土砂の脱水処理装置。
【考案の詳細な説明】
【技術分野】
【０００１】
本考案は、主として河川、湖沼、港湾、ダム、下水道施設、側溝、あるいは暗渠等における浚渫土砂の脱水処理装置に関する。
【背景技術】
【０００２】
従来より、河川等の浚渫土砂を処理せしめるさいには、浚渫土砂を予め設けた沈澱池に投入して沈澱処理せしめる方法、浚渫土砂を天日乾燥により乾燥処理せしめる方法、浚渫土砂にセメントを加えて固化処理せしめる方法、あるいは、浚渫土砂を液体サイクロンに投入して砂利・砂・微粒分に分級処理せしめる方法（特開２０００−１６７４３２号公報参照）等が知られている。
【０００３】
そして、かかる従来の処理方法は、浚渫土砂を減容化せしめて埋立て処分したり、砂利や砂分等を再利用すべく、固液に分離せしめることを目的とするものであるから、浚渫土砂中に含まれる９０％〜１５０％の水分については固液分離後に沈澱処理などの簡単な処理をして放流せしめるものとされている。
【０００４】
しかしながら、浚渫土砂中に含まれる水分には環境汚染物質、例えば、河川等の富栄養化促進物質（窒素やリンなど）、農薬、重金属、排気ガス、ダイオキシン、あるいは内分泌撹乱性物質（環境ホルモン）等の汚濁物質が含まれているものであるから、固液に分離処理せしめた汚濁水を単に放流せしめたさいには環境を再汚染し、由々しき問題を惹起せしめやすいものである。  
【０００５】
かかる従来の問題点を解決するものとして、本考案者は先に、浚渫土砂を濾過して固液に分離処理せしめる工程と、分離せしめた汚濁水に所要の凝集剤を加えて汚濁物質をフロック化せしめる工程と、汚濁水に圧縮空気を吹込みつつフロック化せしめた汚濁物質を加圧浮上せしめて除去処理せしめる工程とよりなることを特徴とする、浚渫土砂の処理方法（特開２００２−１８６９９９号公報参照）を提案した。
【０００６】
そして、上述の如く構成された従来例は、浚渫土砂を濾過して土砂と汚濁水とを確実に固液分離せしめることが出来るのみならず、分離せしめた汚濁水中に汚濁物質として含まれる環境汚染物質を凝集剤によりフロック化せしめて加圧浮上せしめることにより確実に除去せしめることが出来るものであって、ひいては、常に環境の再汚染を有効に防止せしめることが出来るものである。                        
【特許文献１】特開２００２−１８６９９９号公報
【考案の開示】
【考案が解決しようとする課題】
【０００７】
ところで、上記従来例は、浚渫土砂を濾過して固液に分離処理せしめるものであるから
、その分離処理に長時間を要し、極めて処理効率が悪いのみならず、分離せしめた浚渫土砂自体も脱水が不十分となりやすく、その後処理が非常に面倒であり、しかも、設置スペ−スが大となりやすいなどの問題点を有するものである。
【０００８】
本考案は、かかる従来の問題点を解決し、浚渫土砂を常に迅速、かつ、確実に、しかも容易に少ないスペ−スでもって固液分離せしめることが出来るものであって、ひいては、分離せしめた固液の後処理を容易に効率よく行なうことが出来る、浚渫土砂の脱水処理装置を提供しようとするものである。
【課題を解決するための手段】
【０００９】
上記の目的を達成するため、請求項１記載の考案は、少くとも一側に排出ゲ−トが開閉自在に設けられた圧縮槽と、該圧縮槽内に嵌合せしめて上方から所要の押圧手段でもって浚渫土砂を圧縮せしめつつ脱水せしめる略格子枠状の押圧体と、該押圧体の下面に取付けられた透水体とより構成されてなることを特徴とする、浚渫土砂の脱水処理装置を要旨とするものである。   
【００１０】
請求項２記載の考案は、上記透水体は支持部材上に透水シ−トとスクリ−ンとが順次積層された構成よりなることを特徴とする、請求項１記載の浚渫土砂の脱水処理装置を要旨とするものである。
【考案の効果】
【００１１】
請求項１記載の考案は上述のように構成されているから、圧縮槽に浚渫土砂を投入せしめ、押圧体により上方から所要の押圧手段でもって押圧して圧縮せしめつつ透水体を通して脱水せしめるという極めて簡単な操作でもって、浚渫土砂を常に迅速、かつ、確実に、しかも容易に少ないスペ−スでもって効率よく固液分離せしめることが出来るものであり
、ひいては、従来例に比して、分離せしめた固液の後処理を容易に効率よく行なうことが出来るものである。
【００１２】
請求項２記載の考案は上述のように構成されているから、浚渫土砂中に含まれる水分を濾過状に確実に脱水処理せしめることが出来るものであって、ひいては、特に分離水の後処理を容易に、しかも効率よく行なうことが出来る。
【考案を実施するための最良の形態】
【００１３】
以下に、本考案を実施するための最良の形態を図面に示す一実施例に基づいて説明する
。
【実施例】
【００１４】
図１乃至図３は本考案の一実施例を示すもので、同図中、１は所要の容積を有する可搬自在な方形体状の圧縮槽、２は該圧縮槽１の一側にレバ−３を介して開閉作動自在に取付けられた排出ゲ−トである。４は圧縮槽１内に嵌合自在とされた略格子枠状の押圧体、５は該押圧体４の上面に取付けられた押圧手段用当て板、６は押圧体４の下面に取付けられた透水体で、該透水体６は略格子枠状の支持部材７と、該支持部材７上に配設された透水シ−ト８と、該透水シ−ト８上に配設された網目状のスクリ−ン９とより構成されている
。その他、１０は押圧体４に取付けられた吊ロ−プ、１１は圧縮槽１内に連通状に接続自在とされた排水パイプ、１２は当て板５を介して押圧体４を押圧せしめるパワ−ショベルである。Ｓは浚渫土砂、Ｗは分離水を各々示す。  
【００１５】
次に、上述の如く構成された実施例の作動について説明する。
先ず、排出ゲ−ト２を閉作動せしめた圧縮槽１内に未処理の含水浚渫土砂Ｓを投入せしめる。次いで、押圧体４をパワ−ショベル１２により吊ロ−プ１０を介して吊上げつつ、上方より圧縮槽１内に嵌合せしめる。しかるのち、パワ−ショベル１２の先部を当て板５に当てがいつつ押圧体４と共に透水体６を下方に押圧して浚渫土砂Ｓを圧縮せしめる。すると、押圧体４及び透水体６の圧縮により浚渫土砂Ｓは脱水すると共に、脱水した水は透水体６の透水シ−ト８・スクリ−ン９を通して次第に上昇し、押圧体４上に貯留する。このさい、浚渫土砂Ｓより脱水分離した分離水Ｗは透水体６の透水シ−ト８を透過せしめるものであるから、分離水Ｗを濾過状に浄化せしめることが出来る。
【００１６】
そして、所定の圧力に達した時点でパワ−ショベル１２による押圧を停止すると共に、押圧体４上に貯留する分離水Ｓを排水パイプ１１により外方に排出せしめる。分離水Ｗの排出が完了すると、パワ−ショベル１２により押圧体４を圧縮槽１内より取出すと共に、レバ−３を介して排出ゲ−ト２を開作動せしめ、脱水処理せしめた浚渫土砂Ｓを外方に排出せしめる。排出せしめた浚渫土砂Ｓは、公知の方法により後処理せしめ、また、分離水Ｗは、従来例と同様に凝集剤を加えて汚濁物質をフロック化せしめたのち、圧縮空気を吹込みつつ汚濁物質を加圧浮上せしめて除去処理せしめるとよい。このさい、浚渫土砂Ｓを圧縮して脱水処理せしめるものであるから、濾過処理せしめる従来例に比して、脱水処理せしめた浚渫土砂Ｓ及び分離水Ｗの後処理を容易に、しかも効率よく行なうことが出来るのみならず、従来の濾過処理に比して、少ないスペ−スでもって迅速、かつ、確実に効率よく脱水処理せしめることが出来るものである。
【００１７】
なお、上記実施例において、排出ゲ−ト２は圧縮槽１の一側にのみ設けられているが、必要に応じて複数個設けてもよい。また、押圧手段としてパワ−ショベル１２が示されているが、これに限定されるものでなく、油圧シリンダなど他の公知のものを採択使用することが出来る。さらに、スクリ−ン９は網目状とされているが、これに限定されるものでなく、格子状、有孔板状など公知のスクリ−ンを採択使用することが出来るものである。
【図面の簡単な説明】
【００１８】
【図１】本考案の一実施例を示す斜視図である。
【図２】実施例の透水体６を示す分解斜視図である。
【図３】実施例の使用状態を示す垂直断面図である。
【符号の説明】
【００１９】
１    圧縮槽
２    排出ゲ−ト
４    押圧体
６    透水体
７    支持部材
８    透水シ−ト
９    スクリ−ン
１２  パワ−ショベル
Ｓ    浚渫土砂
Ｗ    分離水
【図１】
0003105216.tif 000003
【図２】
0003105216.tif 000004
【図３】
0003105216.tif 000005